【手続補正書】
【提出日】平成17年2月23日(2005.2.23)
【手続補正１】
【補正対象書類名】明細書
【補正対象項目名】発明の名称
【補正方法】変更
【補正の内容】
【発明の名称】換気システム、濾過媒体およびオレオ物質分離方法
【手続補正２】
【補正対象書類名】明細書
【補正対象項目名】特許請求の範囲
【補正方法】変更
【補正の内容】
【特許請求の範囲】
【請求項１】
空気流からオレオ物質を実質的に分離する換気システムであって、空気流から分離された前記オレオ物質を吸収するための無機多孔質粒子のベッドを備え；
前記オレオ物質が加熱されている領域から別の場所へと前記空気流を案内するように構成されると共に、前記空気流の少なくとも実質的には全ての空気流が前記ベッドを通過するように構成された換気システム。
【請求項２】
前記粒子は外表面を備え、前記外表面上で開口すると共に前記オレオ物質を集めるために内壁面を画定する複数のチャネルを備える請求項１に記載の換気システム。
【請求項３】
前記チャネル内に前記オレオ物質を集める割合は、前記オレオ物質が複数の前記粒子の間隔内に集まる割合よりも大きい請求項２に記載の換気システム。
【請求項４】
ベッド内に設けられた複数の無機多孔質粒子であって、前記ベッドを通過する空気流からグリスを除去するために構成され、金属、セラミック金属またはこれらの結合のうちの１つを備える無機多孔質粒子を備える濾過媒体であって、
前記濾過媒体は、前記グリスが加熱されている領域から別の場所へと前記空気流を案内する換気システム内で用いられるように構成されている濾過媒体。
【請求項５】
前記粒子は、前記グリスを吸収するように構成されている請求項４に記載の濾過媒体。
【請求項６】
前記粒子は、シリカを備える請求項４に記載の濾過媒体。
【請求項７】
前記無機多孔質粒子は、少なくとも部分的には、ジルコン、シリカ、アルミナ、アルミナ−シリカ、カオリン、ベントナイト、モンモリロナイトまたはこれらの結合の酸化遷移金属より構成される、請求項１に記載の換気システムまたは請求項４に記載の濾過媒体。
【請求項８】
無機多孔質粒子の三次元ベッドを備える濾過媒体であって、前記無機多孔質粒子は前記ベッドを実質的に全て通過する空気流からオレオ物質を分離するように配置された濾過媒体において、前記無機多孔質粒子のベッドは、前記無機多孔粒子の少なくとも幾つかの間隔を画定すると共に、前記無機多孔質粒子の少なくとも幾つかは外表面と、該外表面に開口しかつ前記間隔内のオレオ物質を集めることを緩和するために前記外表面から前記オレオ物質を集めるための内表面とを画定し、前記濾過媒体は、前記オレオ物質が加熱されている領域から別の場所へと前記空気流を案内するために用いられる換気システム内に位置されるように構成されている濾過媒体。
【請求項９】
空気流からオレオ物質を実質的に分離するオレオ物質分離方法であって：
前記オレオ物質を吸収するために構成された無機多孔質粒子のベッドを通過する空気流の少なくとも実質的に全てを移動させ、
粒子のベッドが、オレオ物質が加熱されている領域から他の場所に前記空気流を案内するために用いられる換気システム内に位置されているオレオ物質分離方法。
【手続補正３】
【補正対象書類名】明細書
【補正対象項目名】０００９
【補正方法】変更
【補正の内容】
【０００９】
この発明の第１の基本構成に係る換気システムは、空気流からオレオ物質を実質的に分離する換気システムであって、空気流から分離された前記オレオ物質を吸収するための無機多孔質粒子のベッドを備え；前記オレオ物質が加熱されている領域から別の場所へと前記空気流を案内するように構成されると共に、前記空気流の少なくとも実質的には全ての空気流が前記ベッドを通過するように構成されていることを特徴とする。
この発明は、単一のまたは複数の流体から１つまたはそれ以上の濾過物質を分離するために設けられた（無機質の化合物よりなる）多孔質の粒子を含む濾過媒体を準備するものであり、これらの多孔質の粒子はこれら自身の中で濾過物質を集めて保持している。好適な実施形態においては、多孔質の粒子は、押し固められたベッドの中に配置されている。さらに好適な実施形態においては、粒子は分離ステップの間に実質的に全ての物質を放り出して、これらの粒子が繰り返し物質を集める能力を維持している。
【手続補正４】
【補正対象書類名】明細書
【補正対象項目名】００１５
【補正方法】変更
【補正の内容】
【００１５】
さらに、前記粒子の微細孔の内部の表面は、前記気体または浮遊する溶滴に対して、殺菌的、触媒として、または、化学的に反応するであろう、反応性の物質で処理するようにしても良い。
また、上記第１の基本構成において、前記粒子は外表面を備え、前記外表面上で開口すると共に前記オレオ物質を集めるために内壁面を画定する複数のチャネルを備えても良い。
また、上記構成において、前記チャネル内に前記オレオ物質を集める割合は前記オレオ物質が複数の前記粒子の間隔内に集まる割合よりも大きくなっている。
【手続補正５】
【補正対象書類名】明細書
【補正対象項目名】００１６
【補正方法】変更
【補正の内容】
【００１６】
また、この発明の第２の基本構成に係る濾過媒体は、ベッド内に設けられた複数の無機多孔質粒子であって、前記ベッドを通過する空気流からグリスを除去するために構成され、金属、セラミック金属またはこれらの結合のうちの１つを備える無機多孔質粒子を備える濾過媒体であって、前記濾過媒体は、前記グリスが加熱されている領域から別の場所へと前記空気流を案内する換気システム内で用いられるように構成されていることを特徴とする。
上記第２の基本構成において、前記粒子は、前記グリスを吸収するように構成されていても良い。また、上記第２の基本構成において、前記粒子は、シリカを備えていても良い。さらに、上記第１および第２の基本構成において、前記無機多孔質粒子は、少なくとも部分的には、ジルコン、シリカ、アルミナ、アルミナ−シリカ、カオリン、ベントナイト、モンモリロナイトまたはこれらの結合の酸化遷移金属より構成されていても良い。
また、この発明の第３の基本構成に係る濾過媒体は、無機多孔質粒子の三次元ベッドを備える濾過媒体であって、前記無機多孔質粒子は前記ベッドを実質的に全て通過する空気流からオレオ物質を分離するように配置された濾過媒体において、前記無機多孔質粒子のベッドは、前記無機多孔粒子の少なくとも幾つかの間隔を画定すると共に、前記無機多孔質粒子の少なくとも幾つかは外表面と、該外表面に開口しかつ前記間隔内のオレオ物質を集めることを緩和するために前記外表面から前記オレオ物質を集めるための内表面とを画定し、前記濾過媒体は、前記オレオ物質が加熱されている領域から別の場所へと前記空気流を案内するために用いられる換気システム内に位置されるように構成されていることを特徴とする。
また、この発明の第４の基本構成に係るオレオ物質分離方法は、空気流からオレオ物質を実質的に分離するオレオ物質分離方法であって：前記オレオ物質を吸収するために構成された無機多孔質粒子のベッドを通過する空気流の少なくとも実質的に全てを移動させ、粒子のベッドが、オレオ物質が加熱されている領域から他の場所に前記空気流を案内するために用いられる換気システム内に位置されていることを特徴とする。
これらまたは他の目的は、この明細書の中で説明され予期されるであろう実施形態により示されるように、熟練された研究者にとって明らかとなるであろう。